(57)【要約】  【課題】小型で、かつ部品点数の低減によるコストダウンを図り、さらに小型化を図っても良好なアンテナ感度を得る。  【解決手段】誘電体板１の両面にそれぞれ所要形状の電極２a、２bを取り付けてコンデンサ３を形成し、コンデンサ３における一方の電極２a面上に取り付けたフェライトコア４の周面にコイル５を巻回し、両電極２a、２bのうちの少なくとも一方の電極２a、フェライトコア４およびコイル５によりアンテナ本体を形成することで、小型で、かつ部品点数の低減によるコストダウンを図り、さらに小型化を図っても良好なアンテナ感度を得る。【選択図】図２
2005079918.tif 000002
【特許請求の範囲】
【請求項１】
誘電体板の両面にそれぞれ所要形状の電極を取り付けてコンデンサを形成し、該コンデンサにおける一方の前記電極面上に取り付けたフェライトコアの周面にコイルを巻回し、前記両電極のうちの少なくとも前記一方の電極、前記フェライトコアおよび前記コイルによりアンテナ本体を形成し、前記コンデンサは前記アンテナ本体で受けた標準電波の処理に関連した回路構成用の素子としてなることを特徴とする電波時計用アンテナ。
【請求項２】
前記コンデンサは、セラミック板の両面にそれぞれ所要形状の銀電極を取り付けたセラミックコンデンサである請求項１記載の電波時計用アンテナ。
【請求項３】
前記フェライトコアは、直径に比べて高さの低い円柱体形状とし、該円柱体の一端面を前記コンデンサにおける一方の電極面上に取り付けた請求項１または２記載の電波時計用アンテナ。
【請求項４】
前記コンデンサは、前記アンテナ本体で受けた標準電波から目的とする周波数の標準電波を選択する同調回路構成用の同調コンデンサとした請求項１、２または３記載の電波時計用アンテナ。
【請求項５】
前記フェライトコアおよび前記コイルの前記一方の電極面上への取付け面積を除く前記コンデンサにおける一方の電極面側のスペ−スに、前記目的とする周波数の標準電波の処理に関連した回路の構成部品を実装した請求項１、２、３または４記載の電波時計用アンテナ。
【発明の詳細な説明】
【技術分野】
【０００１】
本発明は、電波時計用アンテナに関するものであり、特に、小型で、かつ部品点数の低減によるコストダウンを図ることができ、さらに小型化を図っても良好なアンテナ感度を得ることができる電波時計用アンテナに関するものである。
【背景技術】
【０００２】
従来の電波時計用アンテナとして、例えば、磁性を有するアモルファス積層体からなる角棒状のコアを絶縁性フィルムで被覆し、その絶縁性フィルム上にコイルを巻回してバ−アンテナとしたものが知られている。バ−アンテナからなる電波時計用アンテナは、コアの長さが大きいほど、アンテナ感度がよくなる（例えば、特許文献１参照）。
【０００３】
また、アンテナ部は、バ−アンテナに巻回したコイルにコンデンサを組み合わせることによって受信周波数を選択する働きをする。このような従来技術として、例えば、アンテナ部を次のように構成したものが知られている。この従来技術は、コアに２個のコイルを巻回してバ−アンテナを構成し、前記２個のコイルは、１個のみ、または２個直列に切り換え可能として、インダクタンス可変のコイル体としている。そして、このコイル体に別体のコンデンサを並列接続して受信周波数を選択可能としている（例えば、特許文献２参照）。
【特許文献１】特開２００３−１１０３４１号公報（第２頁、図２）
【特許文献２】特開２００３−６０５２０号公報（第３頁、図３）
【発明の開示】
【発明が解決しようとする課題】
【０００４】
上記特許文献１に記載のバ−アンテナからなる電波時計用アンテナにおいては、コアの長さを短くして小型化を図るとアンテナ感度が低下する。このため、電波時計への組込み用として小型化を図る上で限度がある。また、上記特許文献２に記載のバ−アンテナにおいても、コアの長さを短くするとアンテナ感度が低下する点は、上記特許文献１に記載のものと同様である。さらに、上記特許文献２に記載の従来技術は、コアに巻回したコイル体に別体のコンデンサを並列接続してしているので、十分に小型化することは困難である。
【０００５】
そこで、小型で、かつ部品点数の低減によるコストダウンを図り、さらに小型化を図っても良好なアンテナ感度を得るために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、誘電体板の両面にそれぞれ所要形状の電極を取り付けてコンデンサを形成し、該コンデンサにおける一方の前記電極面上に取り付けたフェライトコアの周面にコイルを巻回し、前記両電極のうちの少なくとも前記一方の電極、前記フェライトコアおよび前記コイルによりアンテナ本体を形成し、前記コンデンサは前記アンテナ本体で受けた標準電波の処理に関連する回路構成用の素子とした電波時計用アンテナを提供する。
【０００７】
コンデンサにおける所要形状の電極がアンテナ導体としても機能する。このため、アンテナ本体は、長さの短いフェライトコアを用いても良好なアンテナ感度が得られる。アンテナ本体で受けた電波は、コンデンサで構成した同調回路等に送られて目的とする周波数の標準電波の選択処理等が行われる。
【０００８】
請求項２記載の発明は、前記コンデンサは、セラミック板の両面にそれぞれ所要形状の銀電極を取り付けたセラミックコンデンサである請求項１記載の電波時計用アンテナを提供する。
【０００９】
コンデンサをセラミックコンデンサとすることで、コンデンサを小型にしても、所要の容量のものを得ることができる。
【００１０】
請求項３記載の発明は、前記フェライトコアは、直径に比べて高さの低い円柱体形状とし、該円柱体の一端面を前記コンデンサにおける一方の電極面上に取り付けた請求項１または２記載の電波時計用アンテナを提供する。
【００１１】
フェライトコアを、直径に比べて高さの低い円柱体形状とすることで、アンテナ本体部分の小型化が図られる。そして、フェライトコアの長さを短かくしても、コンデンサにおける所要形状の電極がアンテナ導体としても機能して、アンテナ感度を良好に保つことができる。
【００１２】
請求項４記載の発明は、前記コンデンサは、前記アンテナ本体で受けた標準電波から目的とする周波数の標準電波を選択する同調回路構成用の同調コンデンサとした請求項１、２または３記載の電波時計用アンテナを提供する。
【００１３】
アンテナの直ぐ次段に接続される同調回路の同調コンデンサが、アンテナ本体に一体化されて、アンテナと同調回路間を接続するための導体長が短くなる。
【００１４】
請求項５記載の発明は、前記フェライトコアおよび前記コイルの前記一方の電極面上への取付け面積を除く前記コンデンサにおける一方の電極面側のスペ−スに、前記目的とする周波数の標準電波の処理に関連した回路の構成部品を実装した請求項１、２、３または４記載の電波時計用アンテナを提供する。
【００１５】
同調コンデンサのみでなく、アンテナ本体で受けた標準電波の処理に関連する回路自体がアンテナ本体に隣接して小型に実装される。したがって、アンテナとこれらの回路間を接続するための導体長が短くなる。
【発明の効果】
【００１６】
請求項１記載の発明は、誘電体板の両面にそれぞれ所要形状の電極を取り付けてコンデンサを形成し、該コンデンサにおける一方の前記電極面上に取り付けたフェライトコアの周面にコイルを巻回し、前記両電極のうちの少なくとも前記一方の電極、前記フェライトコアおよび前記コイルによりアンテナ本体を形成し、前記コンデンサは前記アンテナ本体で受けた標準電波の処理に関連する回路構成用の素子としたので、コンデンサにおける両電極のうちの少なくとも一方の電極をアンテナ本体の構成部材として兼用させたことにより、小型で、かつ部品点数の低減によるコストダウンを図ることができる。また、コンデンサにおける所要形状の電極がアンテナ導体として機能することで、アンテナ本体は、フェライトコアの長さを短くして、さらに小型化を図っても良好なアンテナ感度を得ることができるという利点がある。
【００１７】
請求項２記載の発明は、前記コンデンサは、セラミック板の両面にそれぞれ所要形状の銀電極を取り付けたセラミックコンデンサとしたので、アンテナ本体と一体化するコンデンサ部分を小型にしても、所要の容量のものを得ることができて、全体構成の一層の小型化を図ることができるという利点がある。
【００１８】
請求項３記載の発明は、前記フェライトコアは、直径に比べて高さの低い円柱体形状とし、該円柱体の一端面を前記コンデンサにおける一方の電極面上に取り付けたので、アンテナ本体部分が小型になって、全体構成の一層の小型化を図ることができる。また、フェライトコアの長さを短くしても、コンデンサにおける所要形状の電極がアンテナ導体として機能することで、アンテナ感度を良好に保つことができるという利点がある。
【００１９】
請求項４記載の発明は、前記コンデンサは、前記アンテナ本体で受けた標準電波から目的とする周波数の標準電波を選択する同調回路構成用の同調コンデンサとしたので、アンテナの直ぐ次段に接続される同調回路の同調コンデンサが、アンテナ本体に一体化されて、アンテナと同調回路間を接続するための導体長を短くすることができるという利点がある。
【００２０】
請求項５記載の発明は、前記フェライトコアおよび前記コイルの前記一方の電極面上への取付け面積を除く前記コンデンサにおける一方の電極面側のスペ−スに、前記目的とする周波数の標準電波の処理に関連した回路の構成部品を実装したので、アンテナのみでなく、アンテナ本体で受けた標準電波の処理に関連する回路、例えば同調回路、高周波増幅回路等を含めた構成を小型化することができるという利点がある。
【発明を実施するための最良の形態】
【００２１】
小型で、かつ部品点数の低減によるコストダウンを図り、さらに小型化を図っても良好なアンテナ感度を得るという目的を、セラミック板の両面にそれぞれ所要形状の銀電極を取り付けてセラミックコンデンサを形成し、該セラミックコンデンサにおける一方の前記銀電極面上に取り付けたフェライトコアの周面にコイルを巻回し、前記両銀電極のうちの少なくとも前記一方の銀電極、前記フェライトコアおよび前記コイルによりアンテナ本体を形成することにより実現した。
【実施例１】
【００２２】
以下、本発明の実施例１を図面に従って詳述する。図１は電波時計用アンテナの正面図、図２は図１中のＡ−Ａ線に沿う断面図である。まず、本実施例に係る電波時計用アンテナの構成を説明する。図２に示すように、電波時計に装着し易い円板状の形をした誘電体板としてのセラミック板１の両面にそれぞれ所要形状の銀電極２a、２bが取り付けられてセラミックコンデンサ３が形成されている。前記銀電極２a、２bは、セラミック板１上に銀ペ−ストを所要形状にプリントした後、適宜の高温で焼結することにより形成されている。前記セラミックコンデンサ３における一方の銀電極２a面上には、直径に比べて高さの低い円柱体形状のフェライトコア４の一端面が接着剤により固着され、そのフェライトコア４の周面にコイル５が環状に巻回されている。
【００２３】
そして、前記セラミックコンデンサ３における両銀電極２a、２bのうちの少なくとも一方の銀電極２a、前記フェライトコア４および前記コイル５によりアンテナ本体が形成されている。このように、本実施例では、セラミックコンデンサ３における両銀電極２a、２bのうちの少なくとも一方の銀電極２aがアンテナ本体の構成部材を兼ねた構成となっている。また、前記セラミックコンデンサ３は、前記アンテナ本体で受けた時刻デ−タを含む標準電波の処理に関連する回路、例えば同調回路を構成する同調コンデンサとして適用されるものである。
【００２４】
さらに、図１及び図２に示すように、前記フェライトコア４および前記コイル５の前記一方の銀電極２a面上への取付け面積を除く前記セラミックコンデンサ３における一方の銀電極２a面側のスペ−スに、前記アンテナ本体で受けた時刻デ−タを含む標準電波の処理に関連した回路６、例えば同調回路、高周波増幅回路等の構成部品が実装されている。
【００２５】
次に、上述のように構成された電波時計用アンテナの作用を説明する。前記セラミックコンデンサ３における両銀電極２a、２bのうちの少なくとも一方の銀電極２a、前記フェライトコア４および前記コイル５によりアンテナ本体が形成され、セラミックコンデンサ３における両銀電極２a、２bのうちの少なくとも一方の銀電極２aが前記アンテナ本体の構成部材を兼ねて部品点数の低減が図られている。また、これとともに、前記フェライトコア４は直径に比べて高さの低い円柱体形状のものが用いられて、前記アンテナ本体の小型化が図られている。
【００２６】
このような構成のアンテナ本体において、前記セラミックコンデンサ３における両銀電極２a、２bのうちの少なくとも一方の銀電極２aがアンテナ導体として機能する。このため、前記アンテナ本体は、部品点数の低減および小型化が図られていても、アンテナ感度が劣化することはない。
【００２７】
また、同調コンデンサに適用される前記セラミックコンデンサ３が前記アンテナ本体と一体に形成されるのみでなく、前記アンテナ本体で受けた時刻デ−タを含む標準電波の処理に関連した回路６、例えば同調回路、高周波増幅回路等が前記アンテナ本体に隣接して実装されるので、アンテナとこれらの回路間を接続するための導体長が短くなり、アンテナと該アンテナに関連する諸回路を含む全体構成についても小型化が図られる。
【００２８】
そして、図２中、矢印方向から、時刻デ−タを含む標準電波が入力すると、アンテナ導体として機能する前記両銀電極２a、２bのうちの少なくとも一方の銀電極２a等に標準電波電力が誘導され、この誘導された標準電波電力により前記コイル５に、その標準電波電力が誘起される。このようにして前記アンテナ本体で受けた時刻デ−タを含む標準電波は、前記セラミックコンデンサ３で構成された同調回路、高周波増幅回路等に送られて目的とする周波数の標準電波の選択処理およびその標準電波の増幅等が行われる。
【００２９】
上述したように、本実施例に係る電波時計用アンテナにおいては、前記セラミックコンデンサ３における両銀電極２a、２bのうちの少なくとも一方の銀電極２aを前記アンテナ本体の構成部材として兼用させたことにより、小型で、かつ部品点数の低減によるコストダウンを図ることができる。また、前記セラミックコンデンサ３における両銀電極２a、２bのうちの少なくとも一方の銀電極２aがアンテナ導体として機能することで、前記アンテナ本体は、フェライトコア４の長さを短くして、さらに小型化を図っても良好なアンテナ感度を得ることができる。
【００３０】
なお、本発明は、本発明の精神を逸脱しない限り種々の改変をなすことができ、そして、本発明が該改変されたものにも及ぶことは当然である。
【図面の簡単な説明】
【００３１】
【図１】本発明の実施例１に係る電波時計用アンテナの正面図。
【図２】図１中のＡ−Ａ線に沿う断面図。
【符号の説明】
【００３２】
１    セラミック板（誘電体板）
２a、２b    銀電極
３    セラミックコンデンサ
４    フェライトコア
５    コイル
６    受信した標準電波の処理に関連した回路
【図１】
2005079918.tif 000003
【図２】
2005079918.tif 000004